(57)【要約】【課題】不透明なインキを使用して窓部を形成することのない、全く新しいデザイン性を有した白濁式リライタブルカードの提供。【解決手段】リライタブルカードは、ＰＥＴ（ポリエチレンテレフタレート）等からなる基材１の表面にアルミ蒸着層２、リライト層３、保護層４が、この順序で積層されて設けており、基材１の裏面には、磁気層７、セルフクリーニング層８がこの順序で設けられている。セルフクリーニング層８は、磁気層７の色を隠す他、カードリーダライタの汚れを除去するために設けられる。また、セルフクリーニング層８の下面には、カードを使用する際の注意事項などが印刷９される。保護層４の表面には、透明性を有するインキを使用してオフセット印刷等で、地模様が印刷（５）される。【選択図】      図１
2004291590.tif 000002
【特許請求の範囲】
【請求項１】
基材の表面にアルミ蒸着層、リライト層、保護層が設けられ、繰り返し書き換え可能にリライト層を白濁発色する白濁式リライタブルカードであって、
保護層の表面に透明性を有するインキを使用して印刷が施され、
前記リライト層の白濁発色が、前記印刷層と重ね合わされた部分で行われることで、カラーによる発色として視認される
ことを特徴とする白濁式リライタブルカード。
【請求項２】
不透明なインキで窓部を形成しないように、地模様部分が透明性を有するインキで印刷された
ことを特徴とする請求項１に記載の白濁式リライタブルカード。
【請求項３】
透明性を有するインキを使用して、カードほぼ全面にべた塗り、網点、ストライプ、グラデーション、絵柄等が印刷されて、地模様部分が形成された
ことを特徴とする請求項２に記載の白濁式リライタブルカード。
【請求項４】
透明性を有するインキで窓部を形成するように、窓部の内外が透明性を有するインキで印刷された
ことを特徴とする請求項２に記載の白濁式リライタブルカード。
【請求項５】
複数のカラーインキが使用されて印刷されることで、複数色のカラーによる発色として視認される
ことを特徴とする請求項１から請求項４までのいずれかに記載の白濁式リライタブルカード。
【発明の詳細な説明】
【０００１】
【発明の属する技術分野】
本発明は、ポイントカードなどとして使用されるリライタブルカードに関するものであり、特に白濁式リライタブルカードに関するものである。
【０００２】
【従来の技術】
従来より、書き換え可能なリライタブルカードとして、白濁式リライタブルカードとロイコ式リライタブルカードが知られている。
【０００３】
図２は、従来の白濁式リライタブルカードを示す断面図である。
白濁式リライタブルカードは、例えばＰＥＴ等からなる基材２１の表面にアルミ蒸着層２２、リライト層２３（白濁発色層）、保護層２４が順に重ね合わされて設けられる。そして、従来の白濁式リライタブルカードは、その保護層２４の表面に印刷（２５）が施されていた。この際、カードのほぼ中央には略四角形の窓部３０が形成され、その窓部３０の内側には印刷が施されず、窓部３０の周囲のみに不透明なインキを使用して印刷（２５）が施されていた。これにより、窓部３０には、アルミ蒸着層２２の銀色と、リライト層２３で白濁発色させた文字等が見えるものであった。
【０００４】
なお、リライト層２３は、例えば１３０℃の熱を加えることで白濁し、また例えば１００℃の熱を加えることで透明に戻せるように構成されている。そのため、カードに熱を加えることで、窓部３０に白色の文字等を表示させたり、又はその文字等を消去したりすることが可能とされる。
また、基材２１の裏面には、磁気層２７が設けられ、例えばポイント数などが記録される。なお、図２において、符号２６は透明な印刷保護層、符号２８はセルフクリーニング層、符号２９は注意書きなどが印刷された印刷層である。
【０００５】
そして、このようなリライタブルカードは、店舗などでポイントカードとして使用される。
図３は、従来のリライタブルカードの使用状態を示す概略図であり、（ａ）は、ポイントが書き込まれた状態を示す図であり、（ｂ）は、一旦リライト層が透明に戻された状態を示す図であり、（ｃ）は、新たにポイントが書き込まれた状態を示す図である。
【０００６】
客が商品等を購入し、例えば１０ポイントのポイントが発生した場合、客に発行されたポイントカードは、店舗に備えられているカードリーダライタに差し込まれる。
そこでは、カードの窓部３０内の所望位置に、高温の熱（例えば１３０℃）でリライト層２３を白濁発色させ、窓部３０に「１０ポイント」の文字が白色で表示される（図３（ａ））。そして、その客が再び商品等を購入し、ポイントが発生し、合計で２０ポイントになるとする。この際もポイントカードは、カードリーダライタに差し込まれる。この場合は、一旦、例えば１００℃の熱でリライト層２３を透明に戻した後（図３（ｂ））、１３０℃の熱が照射されてリライト層２３を白濁発色し、窓部３０に「２０ポイント」の文字を白色で表示して（図３（ｃ））、窓部３０の内容が書き換えられる。
なお、カードがカードリーダライタに差し込まれ、窓部３０のポイント数が書き換えられる際には、カードの裏面に設けられた磁気層２７にポイントの情報も記録される。
【０００７】
このようなリライタブルカードは、従来、リライト層２３が白濁発色することで表示される白色の文字等を見易いように、上述したように何も印刷されない窓部３０をあえて設けていた。
特に、黒色や青色で発色するロイコタイプと異なり、白濁式では視認性が劣るので、非印刷領域としての窓部３０を白濁発色部として残すことは必要不可欠と考えられていた。
しかし、そのことは、カードのデザイン性を良くすることの大きな制約であった。つまり、カードの表面にデザインを施す部分が少なく、カードのほぼ全面にわたって連続的なデザイン、例えば、ベタ塗り、ストライプ、グラデーションなどのデザインを施すことができなかった。また、従来のカードの表面は、窓部３０がはっきりと分かるデザインとなっており、しかも窓部３０は必ず銀色で残されるため、見栄えするものではなかった。
【０００８】
ところで、リライト層上にも印刷絵柄層を設けることは、下記特許文献１に示すように、偽造防止のためにロイコ式リライタブルカードについて提案されている。
【０００９】
【特許文献１】
特開２００１−１６７２３４号公報
【００１０】
【発明が解決しようとする課題】
しかしながら、上記特許文献１において、「ロイコリライトカードは視認性において従来の白濁タイプより勝っている」と記載されるように、視認性の劣る白濁式リライタブルカードについてはリライト層上に印刷を施すことは現実的とは考えられていなかった。
【００１１】
そもそも特許文献１に記載の発明では、偽造防止を目的としており、そのため、網点と発色部（ポイント数）の部分的な重なりを前提として、書き足しによる改ざんを防止するものであった。改ざん防止を目的とするが故に、ポイント数を表示する発色部が網点、又は色合い等の異なる印刷部と部分的に重なる必要があり、デザイン性は全く考慮されていない。
【００１２】
しかも、特許文献１に記載の発明のようなロイコ式リライタブルカードは、黒色若しくは青色に発色するので、デザイン性の点で不都合があった。つまり、この窓部に印刷を施した場合、黒色又は青色に発色した文字等は、上部に印刷された模様等と重なり合う。その結果、窓部に表示された文字等は、濁ったり若しくは暗い色あるいは全く別の色として視認されてしまうものであった。
【００１３】
本発明は上記事情に鑑みてなされたものであり、その主たる目的は、不透明なインキを使用して窓部を形成することのない、全く新しいデザイン性を有した白濁式リライタブルカードを提供することにある。
【００１４】
【課題を解決するための手段】
上記目的を達成するために、本発明の白濁式リライタブルカードは、基材の表面にアルミ蒸着層、リライト層、保護層が設けられ、繰り返し書き換え可能にリライト層を白濁発色する白濁式リライタブルカードであって、保護層の表面に透明性を有するインキを使用して印刷が施され、前記リライト層の白濁発色が、前記印刷層と重ね合わされた部分で行われることで、カラーによる発色として視認されることを特徴とする。
【００１５】
また、好ましくは上記構成に加えて、不透明なインキで窓部を形成しないように、地模様部分が透明性を有するインキで印刷されたことを特徴とする白濁式リライタブルカードである。
【００１６】
また、好ましくは上記構成に加えて、透明性を有するインキを使用して、カードほぼ全面にべた塗り、網点、ストライプ、グラデーション、絵柄等が印刷されて、地模様部分が形成されたことを特徴とする白濁式リライタブルカードである。
【００１７】
また、好ましくは上記構成に加えて、透明性を有するインキで窓部を形成するように、窓部の内外が透明性を有するインキで印刷されたことを特徴とする白濁式リライタブルカードである。
【００１８】
また、好ましくは上記各構成に加えて、複数のカラーインキが使用されて印刷されることで、複数色のカラーによる発色として視認されることを特徴とする白濁式リライタブルカードである。
【００１９】
【発明の実施の形態】
以下、本発明のリライタブルカードについて、実施例に基づき更に詳細に説明する。
図１は、本発明のリライタブルカードの一実施例を示す図であり、（ａ）は断面図、（ｂ）は正面図である。
【００２０】
本実施例のリライタブルカードは、ＰＥＴ（ポリエチレンテレフタレート）等からなる基材１の表面にアルミ蒸着層２、リライト層３、保護層４が、この順序で積層されて設けられており、基材１の裏面には、磁気層７、セルフクリーニング層８がこの順序で設けられている。セルフクリーニング層８は、磁気層７の色を隠す他、カードリーダライタの汚れを除去するために設けられる。また、セルフクリーニング層８の下面には、カードを使用する際の注意事項などが印刷（９）される。
【００２１】
一方、保護層４の表面には、透明性を有するインキを使用して印刷（５）が施される。例えば、オフセット印刷等で、地模様が印刷される。
本実施例では、溶剤で顔料を薄めたインキが使用され、下部のアルミ蒸着層２が透けて見える程度の印刷が施される。
また、本実施例で使用するインキは、反射濃度０．６０以下とし、好ましくは０．４０以下の反射濃度とする。さらに好ましくは、０．３５以下の反射濃度とする。
なお、この濃度測定の際には、被印刷物としてアート紙を使用し、測定器にはマクベス反射濃度計（ＲＤ−９１４若しくは同機相当品）、フィルターにはビジュアルフィルターを使用した。
【００２２】
印刷される地模様としては、カードの表面全体をベタ塗りとしてもよいし、網点、水玉模様やストライプ模様などの連続的な模様としても構わない。また、会社名などのロゴを連続的に配置して印刷してもよいし、キャラクター等の絵柄を印刷しても構わない。なお、印刷層５の上部には、アクリル系の樹脂からなる透明な印刷保護層６を設けるのが好ましい。
【００２３】
このように構成された本実施例の白濁式リライタブルカードは、インキが透明性を有しているので、印刷層５、保護層４、リライト層３を介して、その表面がアルミ蒸着層２の反射光により光沢を有するカードとなる。また、カード表面ほぼ全体に印刷（５）が施され、従来のカードのような窓部が形成されていないので、カード全体に統一感のあるデザインとすることが可能となる。
【００２４】
ところで、本実施例の白濁式リライタブルカードは、白濁発色するリライト層３の上部にも印刷を施しているので、熱を加えられてリライト層３において白濁発色した文字等は、印刷層５と重なり合って視認されることになる。
その結果、カードに表示される文字等は、あたかも印刷層５に使用したインキの色に発色した状態で視認される。さらに、グラデーション等のデザインが施されている場合には、文字等もそのインキの濃淡に合わせて発色して視認される。
【００２５】
このように、従来の白濁式リライタブルカードでは、白い文字でしか表示できなかったが、本発明のリライタブルカードによれば、カード全体にデザインを施せることができるだけでなく、カードに表示される文字等も従来のカードに比べ特徴のあるものとすることができる。特に、印刷面積比率を高くすることにより、明瞭なカラー発色が可能となる。そして、本実施例では透明性が高いインキを使用しているので印字（白濁部）の視認性がよい。
【００２６】
また、複数色のインキを使用して印刷することで、カードに表示される文字を多色発色させることが可能となり、デザインの自由度を高めることが可能となる。さらに、発色部は、文字や数字だけでなく、各種記号や絵柄とすることもできる。また、発色場所を変えることで、ポイント数に応じてポイント数表示の文字の色を順次に変えていくこともできる。
そして、従来は、アルミ蒸着層を隠蔽するために、窓部以外の部分にはまず下地として不透明な白又は黒のインキを一旦印刷する必要があったが、本実施例ではその手間を省くことができる。
【００２７】
ロイコ式リライタブルカードにおいてリライト層の上部に印刷を施した場合、上述したように、黒色又は青色に発色した文字等が印刷層に重ね合わされるので、カードに表示される文字等は、濁ったり暗くなったりしてしまう。よって、カードに表示される文字等を意図した色で発色させることが困難である。
【００２８】
しかし、本発明では、リライト層３において白色に発色する文字等の上部に印刷層５のインキが重ね合わされるので、カードに表示される文字等は、印刷層５のインキの色を強調した色に視認される。よって、カードに表示される文字等を意図した色で発色させることが容易である。つまり、リライト層３が白濁する白濁式リライタブルカードであるからこそ、このような効果を得ることが可能となる。
【００２９】
また、本実施例の白濁式リライタブルカードには、アルミ蒸着層２が設けられているので、カードの表面をメタリック色やパールインクのようにすることが可能である。しかし、ロイコ式リライタブルカードには、アルミ蒸着層がないのでこのような構成とすることができない。
【００３０】
なお、上記実施例では、カードに窓部を形成しない構成としたが、印刷層５において、その模様や色を組み合わせることで窓部を形成することも可能である。つまり、不透明なインキを使用することなく窓部を形成することが可能である。
例えば、窓部の内部と外部とを異なる色の透明性を有するインキを使用して印刷したり、地模様を変えて印刷したりすることができる。なお、この場合も、カードに表示される文字は、印刷に使用されたインキの色に視認される。
【００３１】
このように、従来、白濁式リライタブルカードでは、不透明なインキを使用して窓部を形成していたが、本発明によれば、窓部を形成しないカード、又は不透明なインキを使用することなく窓部を形成したカードを提供することができる。
そして、従来の白濁式リライタブルカードに比べ、カード全体のデザイン性を向上させることができるだけでなく、カードに表示される文字等にも特徴を持たせることが可能となり、全くあたらしいデザイン性を有したカードを提供することができる。
また、本発明の白濁式リライタブルカードは、リライト層において白濁発色した文字が印刷層に重ね合わされるので、白色ペンなどによる加筆があった場合でも、加筆箇所は印刷層の上となり、改ざん防止の効果も期待できる。
【００３２】
なお、本発明の白濁式リライタブルカードは、上記実施例の構成に限らず、適宜変更可能である。例えば、カードの表面に会社名等を黒色のインキで印刷したい場合には、印刷層の上部から印刷しても構わないし、その会社名を避けて印刷層を設けても構わない。
【００３３】
【発明の効果】
以上詳述したように、本発明の白濁式リライタブルカードによれば、従来にない全く新しいデザイン性を有したカードとすることが可能となる。
【図面の簡単な説明】
【図１】本発明のリライタブルカードの一実施例を示す図であり、（ａ）は断面図、（ｂ）は正面図である。
【図２】従来の白濁式リライタブルカードを示す断面図である。
【図３】従来のリライタブルカードの使用状態を示す概略図であり、（ａ）はポイントが書き込まれた状態を示す図であり、（ｂ）は一旦リライト層が透明に戻された状態を示す図であり、（ｃ）は新たにポイントが書き込まれた状態を示す図である。
【符号の説明】
１  基材
２  アルミ蒸着層
３  リライト層
４  保護層
５  印刷層
６  印刷保護層
７  磁気層
８  セルフクリーニング層
【図１】
2004291590.tif 000003
【図２】
2004291590.tif 000004
【図３】
2004291590.tif 000005